(57)【要約】【課題】手間をかけずに簡単に設置可能で、強風が吹いても倒れ難い屋根作業時の落下防止装置を提供する。【解決手段】下端側が屋根に配置される雨樋の内部に当接し、かつ、上端側が前記屋根の上面から上方に突出するようにして、複数の柱部材を上下方向に立設する。この柱部材には、屋根の裏面又は該屋根の下側に連続する壁面の少なくとも一面を押圧する固定機構を設ける。固定機構は、柱部材の下端を雨樋の内部に押しつけることで、柱部材を前記雨樋に固定させる。複数の柱部材には、梁やテントなどのように、屋根の下側縁に沿って配置される橋渡し部材を設置する。【選択図】図１
2012031643.tif 000002
【特許請求の範囲】
【請求項１】
下端側が屋根に配置される雨樋の内部に当接し、かつ、上端側が前記屋根の上面から上方に突出するように上下方向に立設される複数の柱部材と、
前記柱部材に固定されるとともに、前記屋根の裏面及び該屋根の下側に連続する壁面の少なくとも一方を押圧することによって、前記柱部材の下端を前記雨樋の内部に押しつけて、前記柱部材を前記雨樋に固定させる固定機構と、
前記複数の柱部材に橋渡しされるように、前記屋根の下側縁に沿って配置される橋渡し部材と、
を備えることを特徴とする、屋根作業時の落下防止装置。
【請求項２】
前記固定機構は、
前記柱部材に固定されるとともに、前記屋根の裏面に当接する屋根側支持部材とを備えることを特徴とする、
請求項１に記載の屋根作業時の落下防止装置。
【請求項３】
前記柱部材に対する前記屋根側支持部材の固定角度を変える角度調節手段を備えることを特徴とする、
請求項２に記載の屋根作業時の落下防止装置。
【請求項４】
前記屋根側支持部材は、突っ張り方向の長さを変える長さ調節手段を備えることを特徴とする、
請求項２又は３のいずれか１項に記載の屋根作業時の落下防止装置。
【請求項５】
前記屋根側支持部材における前記屋根側を押圧する端部には、当接面が形成されることを特徴とする、
請求項２乃至４のいずれか１項に記載の屋根作業時の落下防止装置。
【請求項６】
前記屋根側支持部材は、長手方向に付勢力を生じさせる付勢機構を備えることで、前記屋根の裏面を押圧することを特徴とする、
請求項２乃至５のいずれか１項に記載の屋根作業時の落下防止装置。
【請求項７】
前記固定機構は、更に、
前記柱部材に固定されるとともに、前記壁面に当接する壁面側支持部材を備えることを特徴とする、
請求項１乃至６のいずれかに記載の屋根作業時の落下防止装置。
【請求項８】
前記柱部材に対する前記壁面側支持部材の固定位置を変える固定位置調節手段を備えることを特徴とする、
請求項７に記載の屋根作業時の落下防止装置。
【請求項９】
前記柱部材は、長手方向の長さを変える長さ調節手段を備えることを特徴とする、
請求項１乃至８のいずれか１項に記載の屋根作業時の落下防止装置。
【請求項１０】
前記柱部材の下端には、前記雨樋の側壁と係合する係合部が形成されることを特徴とする、
請求項１乃至９のいずれか１項に記載の屋根作業時の落下防止装置。
【請求項１１】
請求項１乃至１０のいずれかの落下防止装置に設けられ、前記複数の柱部材に橋渡しされるようにして、前記屋根の下側縁に沿って配置されることを特徴とする落下防止装置用橋渡し部材。
【発明の詳細な説明】
【技術分野】
【０００１】
本発明は、屋根における作業の際に、屋根上の物が屋根から落下しないように途中で受け止めるための落下防止装置等に関する。
【背景技術】
【０００２】
従来、屋根上でソーラーパネルを設置したり、瓦のふき替え作業を行う際、設備機器や作業用の工具を屋根から落下させてしまうという実態があった。
【０００３】
このため、屋根周縁に設置された雨樋等を利用して落下防止具を固定しておき、屋根上で滑り落ちようとする物を受け止める装置や方法が提案されている（例えば、特許文献１〜３参照）。
【先行技術文献】
【特許文献】
【０００４】
【特許文献１】特開平７−３００９６０号公報
【特許文献２】特開２００７−１４６５１０号公報
【特許文献３】特開２００８−２０２２５４号公報
【発明の概要】
【発明が解決しようとする課題】
【０００５】
しかしながら、上述した特許文献１に開示されている落下防止具は、柱部材の下端で雨樋の縁に挟み込むようにして固定し、被支持体を立脚させるものであることから、プラスティック製の雨樋に大きな負荷がかかるという問題があった。更に、屋根の上面に釘を固定して、柱状部材を固定する紐部材を配置する必要があるが、家主にとっては雨漏り等の心配が生じるので、実際には設置できないという問題があった。また、他の例として雨樋の保持部材（樋受）に紐部材を配置して柱部材を固定する例が開示されているが、保持部材の形状は商品によって様々であり、柱状部材を固定するには安定性に欠けるという問題があった。
【０００６】
また、特許文献２に開示されている落下防止具は、柱部材を固定するために、各種金具を雨樋の保持部材等に固定し、更に、雨樋の外側を巻き込むようにして屋根を挟み込む構造となっている。したがって、雨樋受け金具に連結固定金具を取り付ける手間がかかるだけでなく、落下防止具が大掛かりなものとなってしまい、簡易な施工ができないという問題があった。
【０００７】
特許文献３に開示されている落下防止具は、特許文献１と同様に、柱部材の下端で雨樋の縁を挟み込む構造であり、多様な形状となる雨樋のみに依存した固定手法では、安定性に欠けるという問題があった。
【０００８】
本発明は、斯かる実情に鑑み、手間をかけずに簡単に、強風が吹いても倒れ難い屋根作業時の落下防止装置を提供しようとするものである。
【０００９】
本発明者の鋭意研究により、上記目的は以下の手段によって達成される。
【課題を解決するための手段】
【００１０】
即ち、上記目的を達成する本発明は、下端側が屋根に配置される雨樋の内部に当接し、かつ、上端側が前記屋根の上面から上方に突出するように上下方向に立設される複数の柱部材と、前記柱部材に固定されるとともに、前記屋根の裏面及び該屋根の下側に連続する壁面の少なくとも一方を押圧することによって、前記柱部材の下端を前記雨樋の内部に押しつけて、前記柱部材を前記雨樋に固定させる固定機構と、前記複数の柱部材に橋渡しされるように、前記屋根の下側縁に沿って配置される橋渡し部材と、を備えることを特徴とする、屋根作業時の落下防止装置である。
【００１１】
上記発明において、上記屋根作業時の落下防止装置の前記固定機構は、前記柱部材に固定されるとともに、前記屋根の裏面に当接する屋根側支持部材とを備えることを特徴とすることが好ましい。
【００１２】
上記発明において、上記屋根作業時の落下防止装置は、前記柱部材に対する前記屋根側支持部材の固定角度を変える角度調節手段を備えることを特徴とすることが好ましい。
【００１３】
上記発明において、上記屋根作業時の落下防止装置の前記屋根側支持部材は、突っ張り方向の長さを変える長さ調節手段を備えることを特徴とすることが好ましい。
【００１４】
上記発明において、上記屋根作業時の落下防止装置の前記屋根側支持部材における前記屋根側を押圧する端部には、当接面が形成されることを特徴とすることが好ましい。
【００１５】
上記発明において、上記屋根作業時の落下防止装置の前記屋根側支持部材は、長手方向に付勢力を生じさせる付勢機構を備えることで、前記屋根の裏面を押圧することを特徴とすることが好ましい。
【００１６】
上記発明において、上記屋根作業時の落下防止装置の前記固定機構は、更に、前記柱部材に固定されるとともに、前記壁面に当接する壁面側支持部材を備えることを特徴とすることが好ましい。
【００１７】
上記発明において、上記屋根作業時の落下防止装置は、前記柱部材に対する前記壁面側支持部材の固定位置を変える固定位置調節手段を備えることを特徴とすることが好ましい。
【００１８】
上記発明において、上記屋根作業時の落下防止装置の前記柱部材は、長手方向の長さを変える長さ調節手段を備えることを特徴とすることが好ましい。
【００１９】
上記発明において、上記屋根作業時の落下防止装置の前記柱部材の下端には、前記雨樋の側壁と係合する係合部が形成されることを特徴とすることが好ましい。
【００２０】
上記目的を達成する本発明は、上記落下防止装置に設けられ、前記複数の柱部材に橋渡しされるようにして、前記屋根の下側縁に沿って配置されることを特徴とする落下防止装置用橋渡し部材である。
【発明の効果】
【００２１】
本発明によれば、手間をかけずに簡単に、強風が吹いても倒れ難い屋根作業時の落下防止装置を提供できるという優れた効果を奏し得る。
【図面の簡単な説明】
【００２２】
【図１】本発明の実施形態に係る落下防止装置を示す側面図である。
【図２】同落下防止装置の屋根への取り付け状態を示す斜視図である。
【図３】同落下防止装置の応用例を示す斜視図である。
【図４】同落下防止装置の応用例を示す斜視図である。
【図５】同落下防止装置の応用例を示す側面図である。
【発明を実施するための形態】
【００２３】
まず、本発明の実施形態に係る落下防止装置１を添付を参照して説明する。
【００２４】
＜全体構成＞
【００２５】
落下防止装置１は、図１、２に示されるように、下端側が屋根に配置される雨樋８０の内部に当接し、かつ、上端側が屋根の上面から上方に突出するように上下方向に立設される複数の柱部材１０と、この柱部材１０に固定されるとともに、屋根の裏面及び該屋根の下側に連続する壁面の少なくとも一方を押圧し、柱部材１０を雨樋８０に固定させる固定機構１５を備えて構成される。
【００２６】
柱部材１０は、基台部４０Ａと落下物受止め部４０Ｂを有して構成される。基台部４０Ａ、落下物受け止め部４０Ｂは、共に上下方向に長い柱状の金属製部材となっている。基台部４０Ａに上端には、落下物受け止め部４０Ｂがスライド可能に嵌り込んで係合する為の係合穴１４が設けられている。係合穴１４の内壁にはネジが形成され、落下物受け止め部４０Ｂの外周面に形成されたネジ部４２が係合穴１４と螺合する。つまり、このネジ部４２と係合穴１４が長さ調節手段となり、落下物受け止め部４０Ｂを右回り又は左回りに回転することで、落下物受け止め部４０Ｂを基台部４０Ａの合計長さ（柱部材１０の長さ）を調節できる。
【００２７】
基台部４０Ａの下端には、雨樋８０の内側の底面８０Ａと外側の側面８０Ｂに当接する樋側当接部１２が設けられる。樋側当接部１２の形状は、雨樋８０の長手方向から視た場合に、長手方向に伸びる断面Ｌ字形状となっている。この断面Ｌ字形状における底面１２Ａは、雨樋８０の底面８０Ａに当接し、断面Ｌ字形状にける側面１２Ｂが、雨樋８０の側面８０Ｂと当接する。従って、断面Ｌ字形状における角が係合部１２Ｃとなって、雨樋８０の内側の角部８０Ｃと係合するようになっている。また、樋側当接部１２はある程度の長さを有しており、底面１２Ａの面積が広いため、柱部材１０を安定して立てることができる・。
【００２８】
なお、樋側当接部１２の形状は、雨樋８０の内面に引っ掛かって、安定して立脚できる形状であることが好ましく、雨樋８０の内面形状に倣わせた形状にすることも好ましい。例えば、雨樋８０の断面形状がＵ形状である場合、樋側当接部１２の形状もほぼ同じＵ形状とすることが好ましく、雨樋８０の断面形状が逆台形形状の場合、樋側当接部１２の形状もほぼ同じ逆台形形状とすることも好ましい。
【００２９】
基台部４０Ａには、上下方向に並ぶようにして、雨樋８０の長手方向に貫通する複数のネジ用孔１６が設けられている。本実施形態では、柱部材１０の上下方向に約２ｃｍ間隔で５個のネジ用孔１６が設けられている。更に基台部４０Ａには、雨樋８０の幅方向に貫通する複数の保持孔１８が設けられている（図２参照）。この保持孔１８は、ネジ用孔１６と対応させて上下方向に約２ｃｍの間隔で設けられている。この保持孔１８によって、後述する壁面側支持部材３０の角度が水平に維持される。
【００３０】
なお、柱部材１０の材質は、屋根からの落下物を受け止めることができる程度の強度を有していればよく、上記に限定されるものではない。例えば、鉄、ＳＵＳ材、アルミニウム、カーボン素材、合成樹脂など幅広く使用することができる。柱部材１０をカーボン素材や合成樹脂で形成した場合、落下物を受け止めた際、柱部材１０自体が撓んで落下物の衝撃を和らげることができる。また、柱部材１０をカーボン素材や合成樹脂で形成した場合、軽くて折れ難いという効果もある。
【００３１】
固定機構１５は、屋根側支持部材２０と、壁面側支持部材３０を備えて構成される。屋根側支持部材２０は、筒体２２と、突っ張り棒２６を備えて構成されている。筒体２２は、少なくとも一方の端部に孔２３が設けられた筒状部材である。孔２３の内側には、付勢機構となる圧縮ばね２４が設けられた状態で、突っ張り棒２６が挿入される。つまり、突っ張り棒２６は、圧縮ばね２４を圧縮させた状態で孔２３に挿入される。結果、突っ張り棒２６は、筒体２２から外側に飛び出す方向に力を受ける。特に図示しないが、筒体２２と突っ張り棒２６の間にはストッパーが設けられており、孔２３から突っ張り棒２６が落下しないようになっている。
【００３２】
なお、突っ張り棒２６の先端側は、鋭角の突起２６Ａが形成されている。この突起２６Ａが、屋根Ｙの下に設けられた破風板や野地板（以下、これらを称して屋根裏部材９０と言う）に確実に当接できるようになっている。屋根裏部材９０は、外側に向かって低くなるように傾斜していることから、突っ張り棒２６が屋根裏部材９０に当接することにより、柱部材１０が屋根から離れる方向に倒れるのを阻止する。なお、ここでは付勢機構となる圧縮ばね２４を用いて、突っ張り棒２６を筒体２２から自然に突出（伸張）させる構造を示したが、例えば、後述する図３の他の例に示されるように、突っ張り棒２６の外周にネジ部を形成し、筒体２２の孔２３の内周にもネジ部を形成することで、突っ張り棒２６を筒体２２に螺合させることも好ましい。この場合、突っ張り棒２６を右回り又は左回りに回転させることにより、突っ張り棒２６の突っ張り状況を手動で調整できる。
【００３３】
なお、屋根側支持部材２０は、突っ張り棒２６と逆側の端部において、柱部材１０の下端近傍と結合している。この結合部分には、角度調節機構６０が設けられており、屋根側支持部材２０と突っ張り棒２６が鋭角となる領域内で、角度設定ができるようになっている。
【００３４】
詳細に、柱部材１０の下端近傍に配置される揺動軸２６によって屋根側支持部材２０は揺動自在となっている。角度調節機構６０は、部分円弧形状のプレート部材であって、周方向に複数の位置決め孔６０Ａが形成されている。屋根側支持部材２０の途中に形成されている角度調整孔２０Ａ（図２参照）を、角度調節機構６０の位置決め孔６０Ａの何れかに合わせて、ネジ２０Ｂで固定すれば、屋根側支持部材２０を、柱部材１０に対して所望の角度で固定できる。
【００３５】
壁面側支持部材３０は、雨樋８０の幅方向に延びる棒状部３２と、この棒状部３２の壁面側Ｓの端部に結合されて雨樋８０の長手方向に延びる当接部３１を備えて構成される。従って、側面側支持部材３０を上方から視た場合、Ｔ字形状となる。棒状部３２には、長手方向のほぼ等間隔に複数の孔３３が設けられる。例えば、棒状部３２には、２ｃｍ間隔で５個の孔３３が設けられている。当接部３１は、壁面Ｓに当接して、支持部材１０が安定して立つようになっている。
【００３６】
棒状部３２は、基台部４０Ａに形成される保持孔１８に挿入される。この状態で、壁面側支持部材３０の孔３３と基台部４０Ａのネジ用孔１６が一致した状態で固定ネジ３３Ａを挿入することで、壁面側支持部材３０を基台部４０Ａに固定する。使用する孔３３を変えることにより、壁面側支持部材３０の水平方向（壁面方向）の取付位置を変えることができる。また、使用する保持孔１８を変えることにより、壁面側支持部材３０の高さ方向の取付位置を変えることができる。したがって、これらの組み合わせを変えることにより、壁面側支持部材３０の取付位置を自在に調整できる。結果、壁面Ｓの限られた領域に対して、当接部３１を的確に当接させることができる。
【００３７】
また、落下物受け止め部４０Ｂの側面には、棒係合部４４が設けられている。棒係合部４４は、環状となっており、環の内部に落下防止棒５０が挿入される。図２に示されるように、屋根には、複数の柱部材１０が設置されるので、一方の落下物受け止め部４０Ｂと他方の落下物受け止め部４０Ｂの間を落下防止棒５０が橋渡しされるように配置する。
【００３８】
＜設置手順＞
【００３９】
次に、この落下防止部材１の設置手順について説明する。
【００４０】
初めに、柱部材１０の樋側当接部１２が雨樋８０の内側に面で当たるように仮配置する。柱部材１０の下端には、屋根側支持部材２０を揺動可能な状態で設けておく。柱部材１０を雨樋８０に仮配置する際は、屋根側支持部材２０を収縮させながら行えば良い。
【００４１】
そして、屋根側支持部材２０の収縮を開放して、突っ張り棒２６の面２６Ａを屋根裏部材９０に当接させる。具体的に本実施形態では、屋根裏部材９０と壁面Ｓの角部に当接させる。この結果、この家屋において、屋根側支持部材２０の調節角度を目視により把握する。
【００４２】
この仮配置状態で、更に、柱部材１０と壁面Ｓとの位置関係を目視により確認して、壁面側支持部材３０の固定位置を把握する。上述したように、壁面ＺＳの空きスペースに合わせて、最適な柱部材１０の保持孔１８と壁面側支持部材３０の孔３３を選定する。この状態で、一旦、柱部材１０を雨樋８０から取り外して、柱部材１０に対して壁面側支持部材３０を固定し、更に、角度調節機構６０を利用して屋根側支持部材２０の角度を固定し、再び、屋根側支持部材２０を収縮させながら、この柱部材１０を雨樋８０にセットする。
【００４３】
その後、念のために、柱部材１０に形成される予備リング４０Ｄを利用して、雨樋８０の受け部材８２との間をワイヤー等の線材８３で連結しておく。
【００４４】
上記の設置手順により、柱部材１０はは、固定機構１５における屋根側支持部材２０と壁面側支持部材３０により、雨樋８０と屋根裏部材１０及び壁面Ｓの間で、突っ張り状態で安定状態で支持される。更にこの落下防止部材１は、簡単に設置できるとともに、強風等でも倒れ難くい。また、屋根側支持部材２０における突っ張り棒２６の面２６Ａは、屋根裏部材１０の下面に係合しているので、柱部材１０が屋根から離れる方向（図２の矢印Ａの方向）に倒れようとすることを防止できる。また、壁面側支持部材３０は、側壁Ｓの当接した状態で設置されているので、柱部材１０が屋根に近付く方向（図２の矢印Ｂの方向）に倒れようとするのを防止できる。また、樋側当接部１２が雨樋８０内において長手方向に配置されているため、柱部材１０の同長手方向への転倒は、この樋側当接部１２によって防止される。従って、この３つの組合せにより、柱部材１０を、極めて安定した状態で立設させることができる。
【００４５】
このようにして、複数の柱部材１０を雨樋８０に沿って設置していき、個々の柱部材１０の棒係合部４４を利用して、落下防止棒５０を結合させていく。落下防止棒５０は、隣接される柱部材１０の間に渡されて、屋根外縁の所定の範囲に設置されることになる。これにより、ソーラーパネルの設置等で、部品や部材を屋根上で落とした場合、落下防止棒５０に引っ掛かるので、屋根からの落下を免れることができる。
【００４６】
なお、本実施形態では、橋渡し部材として、落下防止棒５０により、落下物を受け止める構造としたが、例えば、落下防止棒５０の代わりに、ネットやロープ、布、テント材、シート材などによって橋渡し部材を構成することも好ましい。これらの柔軟材料により、落下物が引っ掛かった際の衝撃を弱めることができるとともに、小さな落下物を確実に受けとめることができる。また、ネットやテント材に、文字や図柄を表示することで、近隣へ情報開示をすることも可能となり、施工作業中に安心感を与えることができる。勿論、この橋渡し部材を広告スペースとして利用することもできる。また、柱部材１０における落下物受け止め部４０Ｂの形状を変えることで、落下物を効果的に受け止めるようにしても好ましい。例えば、落下物受け止め部４０Ｂの形状を幅広の板形状としても良い。
【００４７】
なお、本実施形態のように、屋根側支持部材２０における突っ張り棒２６の面２６Ａが、屋根裏部材９０と壁面Ｓの両方に同時に当接できる場合、屋根側支持部材２０のみで、Ａ方向、Ｂ方向の双方の転倒を防止することもできる。従って、図３の応用例に示される落下防止部材１のように、壁面側支持部材３０は無くても構わない。この際、屋根側支持部材２０の先端に、雨樋８０の長手方向に延びる当接部材７０を設けておくようにすると、屋根裏部材９０と壁面Ｓの角に長手方向に沿って当接するので、樋側当接部１２が無くても転倒を抑制できる。この場合、屋根側支持部材２０は、壁面側支持部材３０を兼ねることになるので、柱部材１０が屋根側（矢印Ｂ方向）に倒れようとすると、屋根側支持部材２０に収縮方向の力が作用する。従って、図１で示したような圧縮ばねを用いた付勢機構ではなく、ネジによって長さを調節することが好ましい。
【００４８】
更に、本実施形態では、屋根側支持部材２０が柱部材１０の下端近傍に固定され、角度調節機構によって屋根側支持部材２０の角度を設定する場合を示したが、本発明はこれに限定されない。例えば図４に示される応用例となる落下防止部材１のように、柱部材１０に対して、複数の貫通孔７２を傾斜状態で配置しておき、この貫通孔７２に棒状の屋根側支持部材２０を挿入することで、その先端を屋根裏部材１０に当接させることもできる。複数の貫通孔７２から最適なものを選定すれば、先端の実質的な位置を自在に設定できることになる。
【００４９】
また、図５に示される応用例となる落下防止部材１のように、屋根側支持部材２０を部分円弧形状や、屈曲形状にしておくことも好ましい。このように、屋根側支持部材２０を曲げることによって、屋根側支持部材２０の逃げ空間２０Ｘを確保することができる。屋根側支持部材２０を、柱部材１０に固定する際、屋根の下側縁との接触を逃げ空間２０Ｘを利用して回避しながら、屋根裏部材１０側に先端を屋根裏部材１０に当接させることが可能となる。なお、本実施形態では、柱部材１０に複数（ここでは１２個）の固定穴２０Ｐを形成しておき、一方で、屋根側支持部材２０にも複数（ここでは２個）の固定穴２０Ｑを形成しておく。２つ以上の孔を利用して、屋根側支持部材２０を角度を決めながら柱部材１０に自在に固定することが好ましい。
【００５０】
また、上記実施形態では、柱部材１０と固定機構１５（屋根側支持部材２０と壁面側支持部材３０）を別部材としたが、これらの内のいずれか２つ又は全てを一体構造にしてもよい。例えば、柱部材１０の下端において屋根側支持部材２０が一体化されても良い。この場合、柱部材１０と屋根側支持部材２０が様々な角度となるもの用意しておき、現場で、雨樋と屋根裏部材１０との距離などにより、最適な落下防止部材１を適宜選定して利用する。一体化すれば、落下防止装置を安価に製作できるとともに、現場で落下防止部材の角度を調整する手間を省くことができ、より迅速に設置できる。
【００５１】
尚、本発明の落下防止装置は、上記した実施の形態に限定されるものではなく、本発明の要旨を逸脱しない範囲内において種々変更を加え得ることは勿論である。
【産業上の利用可能性】
【００５２】
本発明の落下防止装置は、屋根上で安全に作業するための安全技術に関する分野、その他、幅広い技術分野で利用することができる。
【符号の説明】
【００５３】
１      落下防止装置
１０    柱部材
２０    屋根側支持部材
３０    壁側支持部材
４０Ａ  基台部
４０Ｂ  落下物受け止め部
５０    落下防止棒
【図１】
2012031643.tif 000003
【図２】
2012031643.tif 000004
【図３】
2012031643.tif 000005
【図４】
2012031643.tif 000006
【図５】
2012031643.tif 000007